(57)【要約】【課題】  初心者が露出補正値を上限や下限に設定してしまうことで、撮影画像が白とびや黒つぶれとなってしまい、撮影者の期待した画像とならないことがあった。また、誤操作により意図せずオートブラケット機能を設定してしまい、期待した撮影結果とならないこともあった。【解決手段】上記目的を達成するため、本発明は、撮影に影響する撮影条件を設定可能な第１の撮影モードと、第１の撮影モードよりも設定可能な撮影条件が少ない第２の撮影モードにおいて、第１の撮影モードでは撮影条件補正手段とオートブラケット手段を同一画面上で設定可能な第１の表示手段と、第２の撮影モードでは第１の表示手段の撮影条件補正手段よりも補正範囲が狭く、オートブラケット手段が非表示となる第２の表示手段と、を備えることを特徴とする。【選択図】  図３
2018084715.tif 000002
【特許請求の範囲】
【請求項１】
撮影に影響する撮影条件を設定可能な第１の撮影モードと、前記第１の撮影モードよりも設定可能な撮影条件が少ない第２の撮影モードを備えた撮像装置において、測定値に基づいて算出された撮影条件に係る適正設定値を補正する撮影条件補正手段（３０９）と、前記撮影条件補正手段（３０９）で補正可能な撮影条件に係る複数の設定値で複数コマの撮影を自動的に行うオートブラケット手段（３１０）と、前記第１の撮影モードでは前記撮影条件補正手段（３０９）と前記オートブラケット手段（３１０）を同一画面上で設定可能な第１の表示手段（３００）と、前記第２の撮影モードでは前記第１の表示手段（３００）の撮影条件補正手段（３０９）よりも補正範囲が狭く、前記オートブラケット手段（３１０）が非表示となる第２の表示手段（３５０）と、を備えることを特徴とする撮像装置。
【発明の詳細な説明】
【技術分野】
【０００１】
本発明は、撮像装置、その制御方法及びプログラム並びに記録媒体に関する。
【背景技術】
【０００２】
デジタルカメラ等の撮像装置では、撮像装置が算出した適正露出値をユーザが補正することが可能な露出補正機能を備えている。また、適正露出値、または、ユーザが設定した補正値を中心として、オーバー側、アンダー側に自動的に露出値を補正して複数コマを撮影するオートブラケット機能を備えていることも知られている。
例えば、特許文献１では、露出補正の補正値とオートブラケット機能の設定を同一画面で設定可能とすることで、補正可能範囲を確認しつつ、オートブラケット値を設定可能とすることを実現している。
【先行技術文献】
【特許文献】
【０００３】
【特許文献１】特開２０１０−４５４２５号公報
【発明の概要】
【発明が解決しようとする課題】
【０００４】
しかしながら、初心者が明るく補正するために補正値を上限に設定したり、暗く補正するために補正値を下限に設定してしまうことがあった。これにより、撮影した画像が白とびや黒つぶれといった画像となってしまい、撮影者の期待した画像とならないことがあった。また、撮影者が補正値を変更しようとした際に、誤った操作により意図せずオートブラケット機能を設定してしまい、期待した撮影結果とならないこともあった。
【０００５】
本発明は、このような背景の下になされたもので、露出機能に対する知識の習熟度が低い撮影者による失敗撮影を減らし、習熟度が高い撮影者による高度な撮影を可能とする切り換え手段を提供することを目的とする。
【課題を解決するための手段】
【０００６】
上記目的を達成するため、本発明は、撮影に影響する撮影条件を設定可能な第１の撮影モードと、前記第１の撮影モードよりも設定可能な撮影条件が少ない第２の撮影モードを備えた撮像装置において、測定値に基づいて算出された撮影条件に係る適正設定値を補正する撮影条件補正手段（３０９）と、前記撮影条件補正手段（３０９）で補正可能な撮影条件に係る複数の設定値で複数コマの撮影を自動的に行うオートブラケット手段（３１０）と、前記第１の撮影モードでは前記撮影条件補正手段（３０９）と前記オートブラケット手段（３１０）を同一画面上で設定可能な第１の表示手段（３００）と、前記第２の撮影モードでは前記第１の表示手段（３００）の撮影条件補正手段（３０９）よりも補正範囲が狭く、前記オートブラケット手段（３１０）が非表示となる第２の表示手段（３５０）と、を備えることを特徴とする。
【発明の効果】
【０００７】
本発明によれば、撮影モードに応じて、露出補正値の設定可能な範囲とオートブラケット機能の設定可否を切り換えることで、初心者による失敗撮影を減らし、熟練者による高度な撮影が可能となる。
【図面の簡単な説明】
【０００８】
【図１】本発明の実施の形態に係る撮像装置の外観図である。
【図２】図１における撮像装置のブロック図である。
【図３】実施例１における露出補正／ＡＥＢ設定画面のＵＩ図である。
【図４】実施例１における露出補正／ＡＥＢ設定画面のフローチャートである。
【図５】実施例２における露出補正／ＡＥＢ設定画面のＵＩ図である。
【発明を実施するための形態】
【０００９】
以下に、本発明を実施するための形態について、添付の図面を用いて詳細に説明する。尚、以下に説明する実施の形態は、本発明の実現手段としての一例であり、本発明が適用される装置の構成や各種条件によって適宜修正又は変更されてもよい。また、各実施の形態は適宜組み合わされることも可能である。
【００１０】
［実施例１］
図１は、本発明の一実施形態の撮像装置の外観図である。図１に示すように、本実施形態は撮像装置を例にして説明するが、これに限定されない。１００は撮像装置本体を表す。１３０は画像や各種情報やメニュー画面を表示する液晶表示パネルである。つまり、１３０は、図２の表示部（２２６）に該当する具体的な表示装置である。操作部１１０、１１１、１１２、１１３、１１４、１１５、１２０、１２１、１２２、１２３、１２５、１２６、１２７は図２の操作部（２２７）に該当する具体的な操作部材を表している。
【００１１】
１１０はメニューボタンを表す。主にメニュー画面を表示部２２６に表示するために使用する。１１１はＱボタンを表す。１１２は再生ボタンを表す。主に画像を表示部２２６に表示するために使用する。１１３はセットボタンを表す。主に設定値を変更・決定するために使用する。１１４はメインダイヤルを表す。主に左右方向のフォーカスを移動するために使用する。１１５はサブダイヤルを表す。主に上下方向のフォーカスを移動するために使用する。１２０は十字ボタンを表す。１２２、１２３、１２６、１２７を総称して十字ボタンと表現する。
【００１２】
１２１は上下ボタンを表す。１２２、１２３を総称して上下ボタンと表現する。主に上下方向のフォーカスを移動するために使用する。１２２は上ボタンを表す。主に上方向のフォーカスを移動するために使用する。１２３は下ボタンを表す。主に下方向のフォーカスを移動するために使用する。１２５は左右ボタンを表す。１２６、１２７を総称して左右ボタンを表現する。主に左右方向のフォーカスを移動するために使用する。１２６は左ボタンを表す。主に左方向のフォーカスを移動するために使用する。１２７は右ボタンを表す。主に右方向のフォーカスを移動するために使用する。
【００１３】
図２は、撮像装置（１００）の構成を示す。制御部（２２１）は、入力された信号や、後述のプログラムに従って撮像装置（１００）の各部を制御する。なお、制御部（２２１）が装置全体を制御する代わりに、複数のハードウェアが処理を分担することで、装置全体を制御してもよい。本実施例における撮像装置（１００）は、後述の撮像部（２２３）を制御部（２２１）が制御することにより画像データを取得することができる。また、操作部（２２７）の操作によりメニュー画面を表示部（２２６）に表示する機能を有する。
【００１４】
なお、図１の液晶表示パネル１３０は表示部（２２６）の例である。メニュー画面では、後述の操作部（２２７）の操作でメニューボタン（１１０）が押された時に、制御部（２２１）が表示部（２２６）に表示する画面で、通常メニュー画面には、取得する画像データの大きさの選択、液晶表示パネル（１３０）の明るさ設定、表示する言語の選択などのメニューがあり、撮像装置（１００）の持つ機能の設定をユーザが操作部（２２７）を操作することにより変更や実行を可能とする画面である。
【００１５】
撮像部（２２３）は、撮像処理を行う。撮像処理とは、撮像部（２２３）に含まれるレンズで結像された被写体光を電気信号に変換し、ノイズ低減処理などを行いデジタルデータを画像データとして出力する処理である。撮像した画像データはバッファメモリに蓄えられた後、制御部（２２１）にて所定の演算を行い、記録媒体（２２８）に記録される。
不揮発性メモリ（２２４）は、電気的に消去・記録可能な不揮発性のメモリであり、制御部（２２１）で実行される後述のプログラムや設定等が格納される。
【００１６】
作業用メモリ（２２５）は、撮像部（２２３）で撮像された画像データを一時的に保持するバッファメモリや、表示部（２２６）の画像表示用メモリ、通信部（２２２）を介して他の機器とやりとりするデータを一時的に保持するバッファメモリ、制御部（２２１）の作業領域として使用される。操作部（２２７）は、ユーザが撮像装置（１００）の動作を指示するために用いられる。操作部（２２７）は例えば、前述のメニュー画面を表示するためのメニューボタン（１１０）、画面表示中の操作を受け付ける十字ボタン（１２２、１２３、１２６、１２７）、タッチパネルなどの操作部材を含む。
【００１７】
表示部（２２６）は、撮像の際のスルー画像の表示、撮像した画像データの表示、対話的な操作のための文字表示などを行う。本実施例において制御部（２２１）は、撮像部（２２３）から出力された画像データを、スルー画像として逐次更新しながら連続して表示部（２２６）に表示するよう制御する。これにより、表示部（２２６）には撮像部（２２３）により撮像される画像データがリアルタイムに逐次表示される。
【００１８】
なお、表示部（２２６）は撮像装置（１００）が備える必要はなく、撮像装置（１００）は表示部（２２６）と接続することができ、表示部（２２６）の表示を制御する表示制御機能を少なくとも有していればよい。通信部（２２２）は、外部機器、例えばパーソナルコンピュータや携帯電話、スマートフォンやいわゆるタブレットデバイスやプリンタと通信するための接続部である。なお、この通信部（２２２）は、撮像装置（１００）が例えばインターネット等のネットワークに接続する際にも利用される。
【００１９】
記録媒体（２２８）は、撮像部（２２３）から出力された画像データを記録することができる。なお、記録媒体（２２８）は、撮像装置（１００）に着脱可能なよう構成してもよいし、撮像装置（１００）に内蔵されていてもよい。すなわち、撮像装置（１００）は少なくとも記録媒体（２２８）にアクセスする手段を有していればよい。
以上が撮像装置（１００）の説明である。
【００２０】
次に図３を用いて、ユーザによる操作部（２２７）の操作を撮像装置（１００）が受けた時に表示部（２２６）に表示する露出補正／ＡＥＢ設定画面について説明する。図３（ａ）に示したように、露出補正／ＡＥＢ設定画面には、目盛り（３０８）、露出補正設定可能範囲（３０９）、オートブラケット設定可能範囲（３１０）が対応付けて表示される。目盛り（３０８）には、測光情報に基づいてシステム制御部（２２１）が算出した適正露出値を基準値「０」として、露出補正機能とオートブラケット機能を併用した場合に設定可能な全ての露出値に係る目盛りが表示されている。
【００２１】
従って、目盛り（３０８）と、露出補正設定可能範囲（３０９）と、オートブラケット設定可能範囲（３１０）とを対応付けて表示することにより、露出補正可能範囲を確認しながら、オートブラケット値を設定することが可能となる。
【００２２】
上記の目盛り（３０８）は、１段毎の整数の露出値は、その露出値に対応する数字で示され、各整数の露出値間の１／３段毎の数値を含む露出値は、点印で示されている。さらに、オーバー側の目盛りの上部には、符号（３０３）で示したように「明るく」という文字列が表示され、アンダー側の目盛りの上部には、符号（３０２）で示したように「暗く」という文字列が表示される。これら文字列の表示により、ユーザは、思考を廻らすことなく、これから行う露出補正値、オートブラケット値の設定の効果を認識することが可能となる。
【００２３】
露出補正設定可能範囲（３０９）としては、目盛り（３０８）に刻まれた目盛りと対応する形で、矩形上の複数の指標が表示されている。オートブラケット設定可能範囲（３１０）としては、目盛り（３０８）に刻まれた目盛り、及び露出補正設定可能範囲（３０９）の指標と対応する形で、矩形上の複数の指標が表示されている。
【００２４】
露出補正が設定された場合は、その露出補正値に対応する露出補正設定可能範囲（３０９）の指標に対して、露出補正カーソル（３１１）が表示される。また、オートブラケットが設定された場合は、その設定に係るオートブラケット値に対応するオートブラケット設定可能範囲（３１０）の指標に対してオートブラケットカーソル（３１２）、（３１３）が表示される。この場合、通常は、アンダー側ブラケットカーソル（３１３）と、オーバー側ブラケットカーソル（３１２）の２つのオートブラケットカーソルが表示される。
【００２５】
露出補正設定可能範囲（３０９）の表示領域の左側近傍には、露出補正設定可能範囲（３０９）の指標が露出補正に係るものである旨をユーザに示す「＋／−」アイコン（３０４）がガイダンス表示される。
【００２６】
また、露出補正設定可能範囲（３０９）の表示領域の右側近傍には、露出補正値を設定するための操作部材を示すガイダンス用のアイコン、すなわち、左右ボタン（１２６）、（１２７）の形状をしたガイダンスアイコン（３０５）が表示される。このガイダンスアイコン（３０５）によって、左右ボタン（１２６）、（１２７）を操作することで露出補正値に係る指標を指定することができることを、ユーザが容易に認識できる。
【００２７】
オートブラケット設定可能範囲（３１０）の表示領域の左側近傍には、オートブラケット設定可能範囲（３１０）の指標がオートブラケットに係るものである旨をユーザに示す「ＡＥＢ」アイコン（３０６）が表示される。
【００２８】
また、オートブラケット設定可能範囲（３０９）の表示領域の右側近傍には、オートブラケット値を設定するための操作部材を示すために、メインダイヤル（１１４）の形状をしたガイダンスアイコン（３０７）が表示される。このガイダンスアイコン（３０７）によって、メインダイヤル（１１４）を操作することでオートブラケット値に係る指標を指定することができることを、ユーザが容易に認識できる。
【００２９】
図３（ｂ）は、露出補正値を−３から＋３の範囲で、１段毎の整数の露出値のみ設定可能とし、オートブラケット値を設定できないよう構成した画面を示している。
目盛り（３５２）は、露出値の基準値「０」（３５２）と、値の正負方向を示す「＋」（３５４）、「−」（３５３）のみが表示されている。
【００３０】
露出補正設定可能範囲（３５５）としては、設定可能な露出補正値と対応する形で、矩形上の複数の指標が表示されている。露出補正が設定された場合は、その露出補正値に対応する露出補正設定可能範囲（３５５）の指標に対して、露出補正カーソル（３５６）が表示される。
【００３１】
なお、オートブラケット値は設定できないため、オートブラケット設定可能範囲（３１０）は非表示となっている。また、オートブラケット設定可能範囲（３１０）と関連付けて表示されていた、「ＡＥＢ」アイコン（３０６）、及びガイダンスアイコン（３０７）も同様に非表示となっている。
【００３２】
図４は、図３（ａ）と図３（ｂ）の表示処理を示したフローチャートである。ユーザが露出補正／ＡＥＢ設定画面の表示操作を行うと、まずＳ４０１で現在の撮影モードを作業用メモリ（２２５）から取得する。Ｓ４０２で制御部（２２１）は、Ｓ４０１で取得した撮影モードを判定し、簡単撮影のモードである場合は、Ｓ４０５へ進み、それ以外の場合はＳ４０３へ進む。なお、簡単撮影のモードとは、撮影に影響する各種の撮影条件の値を、特定のシーンを想定し撮像装置が自動で設定し、撮影動作する撮影モードである。
【００３３】
Ｓ４０３に進んだ場合、制御部（２２１）は、範囲を−５から＋５とし、目盛りの刻み間隔を１／３段毎とした露出補正設定可能範囲（３０９）を表示部（２２６）に表示する。合わせて、目盛り（３０８）、「＋／−」アイコン（３０４）、及びガイダンスアイコン（３０５）を露出補正設定可能範囲（３０９）に関連付けて表示する。Ｓ４０４で制御部（２２１）は、オートブラケット設定可能範囲（３１０）を表示部（２２６）に表示する。合わせて、「ＡＥＢ」アイコン（３０６）、及びガイダンスアイコン（３０７）を表示する。
【００３４】
Ｓ４０５に進んだ場合、制御部（２２１）は、範囲を−３から＋３とし、目盛りの刻み間隔を１段毎とした露出補正設定可能範囲（３５５）を表示部（２２６）に表示する。合わせて、目盛り（３０８）、「＋／−」アイコン（３０４）、及びガイダンスアイコン（３０５）を露出補正設定可能範囲（３０９）に関連付けて表示する。Ｓ４０６で制御部（２２１）は、オートブラケット設定可能範囲（３１０）を非表示とする。合わせて、「ＡＥＢ」アイコン（３０６）、及びガイダンスアイコン（３０７）を非表示とする。
【００３５】
上記実施例によれば、簡単撮影のモードにおいて、露出補正設定可能範囲（３５５）の範囲を制限することで−５や＋５といった大きな補正の設定が不可能となる。また、露出補正設定可能範囲（３５５）の刻み間隔を１段毎にすることで、設定の変更が容易となっている。さらに、オートブラケット設定可能範囲（３１０）を非表示とすることで、意図せずオートブラケット機能を設定してしまうことを防止することが可能となる。
【００３６】
［実施例２］
図３（ａ）は、露出補正設定可能範囲（３０９）の設定可能な範囲のみが制限される構成としてもよい。例えば、図５では、露出補正値を−３から＋３の範囲で設定可能とし、目盛り（５０１）と、露出補正設定可能範囲（５０２）と、オートブラケット設定可能範囲（５０３）とを対応付けて表示される。従って、露出補正値の上限値、及び下限値が大きく補正される設定になることを意識せずに露出補正可能範囲を確認しながら、オートブラケット値を設定することが可能となる。
【００３７】
以上、本発明の好ましい実施例について説明したが、本発明はこれらの実施例に限定されず、その要旨の範囲内で種々の変形及び変更が可能である。
【００３８】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００３９】
１００…撮像装置
１１０…メニューボタン
１１１…Ｑボタン
１１２…再生ボタン
１１３…セットボタン
１１４…メインダイヤル
１１５…サブダイヤル
１２０…十字ボタン
２２１…制御部
２２２…通信部
２２３…撮影部
２２４…不揮発性メモリ
２２５…作業用メモリ
２２６…表示部
２２７…操作部
２２８…記録媒体
３０８…目盛り
３０９…露出補正設定可能範囲
３１０…オートブラケット設定可能範囲
３１１…露出補正カーソル
３１２…オーバー側ブラケットカーソル
３１３…アンダー側ブラケットカーソル
【図１】
2018084715.tif 000003
【図２】
2018084715.tif 000004
【図３】
2018084715.tif 000005
【図４】
2018084715.tif 000006
【図５】
2018084715.tif 000007